(57)【要約】【課題】遊技機本体への穴開け作業の難易度を高くすることによって不正行為による損害を効果的に抑制できる遊技機を提供する。【解決手段】本体前面を構成する前面板４８ａ，５２ａ，５２ｂの後側に金属板６３を設け、その金属板６３を、それに対応する前面板４８ａ，５２ａ，５２ｂに対して斜めに配置する。これにより、金属板に対してドリルの刃先がうまく定まらず、遊技機本体への穴開け作業の難易度が高くなり、いわゆる穴開けゴトによる遊技ホールの損害を効果的に抑制できる。前面板４８ａ，５２ａ，５２ｂに対して斜めとなる部分は金属板６３の一部であってもよい。また、その金属板６３は、側面視で斜めに配置してもよいし、平面視で斜めに配置してもよい。【選択図】図４
2014176419.tif 000002
【特許請求の範囲】
【請求項１】
本体前面を構成する前面板の後側に金属板を設け、
前記金属板の少なくとも一部の特定部分を、該特定部分に対応する前記前面板上の部分に対して斜めに配置した
ことを特徴とする遊技機。
【請求項２】
前記特定部分を、該特定部分に対応する前記前面板上の部分に対して平面視で斜めに配置した
ことを特徴とする請求項１に記載の遊技機。
【請求項３】
前記金属板を、ジグザグ状に連なる複数の平板部により構成し、
前記平板部の少なくとも一つを前記特定部分とした
ことを特徴とする請求項１又は２に記載の遊技機。
【請求項４】
複数の前記平板部は、交互に連なる第１平板部と第２平板部とを含み、
前記第１平板部を前記特定部分とし、
前記第２平板部を、その前側の前記前面板に対する角度が略９０度となるように配置した
ことを特徴とする請求項３に記載の遊技機。
【請求項５】
複数の前記平板部は、交互に連なる第１平板部と第２平板部とを含み、
前記第１平板部を前記特定部分とし、
前記第２平板部を、その前側の前記前面板に対して前記第１平板部と同じ側に傾斜させると共にその傾斜角度を前記第１平板部よりも大きくした
ことを特徴とする請求項３に記載の遊技機。
【請求項６】
前記金属板は、その一端側が外力によって後向きに移動可能で且つその移動によって前記前面板に対する前記特定部分の傾斜角度が大となるように構成した
ことを特徴とする請求項１〜５の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機、スロットマシン等の遊技機に対しては新たな手口のゴト行為が次々と報告されており、それらに対しては順次対策が施されてきた。例えば、ドリルを用いて遊技機本体の前面に穴を開け、ピッキングや基板への不正な改変等を行う、いわゆる穴開けゴトに対しては、例えば本体前面に対してその裏側に金属板を装着する等の対策が施されている（特許文献１）。
【先行技術文献】
【特許文献】
【０００３】
【特許文献１】特開２００８−２３７３４９号公報
【発明の概要】
【発明が解決しようとする課題】
【０００４】
特許文献１に記載のように、本体前面の裏側に金属板を装着すれば、ドリルでの穴開けに従来よりも時間を要するため、穴開けゴト行為の発見が容易となり、或いは穴開けゴトの完遂が困難となり、またそれによって穴開けゴト行為に対して一定の抑止力が働くことで遊技ホールの損害の抑制が期待される。
【０００５】
しかしながら、本体前面の裏側に単に金属板を配置しただけでは、ドリルによる穴開け作業に若干時間を要するとしてもその作業の難易度はそれほど高くなるものではなく、従って穴開けゴト行為による損害の発生を十分に抑制できない可能性がある。
【０００６】
本発明は上記事情に鑑みてなされたものであり、遊技機本体への穴開け作業の難易度を高くすることによって不正行為による損害を効果的に抑制できる遊技機を提供することを目的とする。
【課題を解決するための手段】
【０００７】
本発明は、本体前面を構成する前面板３３，４８ａ，５２ａ，５２ｂの後側に金属板６３，６３ａ，６３ｂ，６８，６８ａ，６８ｂを設け、前記金属板６３，６３ａ，６３ｂ，６８，６８ａ，６８ｂの少なくとも一部の特定部分を、該特定部分に対応する前記前面板３３，４８ａ，５２ａ，５２ｂ上の部分に対して斜めに配置したものである。また、その特定部分を、該特定部分に対応する前記前面板３３，４８ａ，５２ａ，５２ｂ上の部分に対して平面視で斜めに配置してもよいし、もちろん側面視で斜めに配置してもよい。
【０００８】
前記金属板６３，６３ａ，６３ｂ，６８，６８ａ，６８ｂを、ジグザグ状に連なる複数の平板部６３ａ，６３ｂ，６８ａ，６８ｂにより構成し、前記平板部６３ａ，６３ｂ，６８ａ，６８ｂの少なくとも一つを前記特定部分としてもよい。この場合、複数の前記平板部６３ａ，６３ｂ，６８ａ，６８ｂは、交互に連なる第１平板部６３ａ，６８ａと第２平板部６３ｂ，６８ｂとを含み、前記第１平板部６３ａ，６８ａを前記特定部分とし、前記第２平板部６３ｂ，６８ｂを、その前側の前記前面板３３，４８ａ，５２ａ，５２ｂに対する角度が略９０度となるように配置してもよいし、前記第１平板部６３ａ，６８ａを前記特定部分とし、前記第２平板部６３ｂ，６８ｂを、その前側の前記前面板３３，４８ａ，５２ａ，５２ｂに対して前記第１平板部６３ａ，６８ａと同じ側に傾斜させると共にその傾斜角度を前記第１平板部６３ａ，６８ａよりも大きくしてもよい。
【０００９】
また、前記金属板６３，６３ａ，６３ｂ，６８，６８ａ，６８ｂは、その一端側が外力によって後向きに移動可能で且つその移動によって前記前面板３３，４８ａ，５２ａ，５２ｂに対する傾斜角度が大となるように構成してもよい。
【発明の効果】
【００１０】
本発明によれば、遊技機本体への穴開け作業の難易度が高くなり、それによって不正行為による損害を効果的に抑制できる。
【図面の簡単な説明】
【００１１】
【図１】本発明の第１の実施形態を示すパチンコ機における全体斜視図である。
【図２】同パチンコ機における本体ケースの正面図である。
【図３】同パチンコ機における前扉の背面図である。
【図４】同パチンコ機における要部側面断面図である。
【図５】同パチンコ機における要部平面断面図である。
【図６】本発明の第２の実施形態を示すパチンコ機における要部側面断面図である。
【図７】同パチンコ機における要部平面断面図である。
【図８】本発明の第３の実施形態を示すパチンコ機における要部側面断面図である。
【図９】同パチンコ機における要部平面断面図である。
【図１０】本発明の第４の実施形態を示すパチンコ機における要部平面断面図である。
【図１１】本発明の第５の実施形態を示すパチンコ機における要部側面断面図である。
【発明を実施するための形態】
【００１２】
以下、本発明の実施形態を図面に基づいて詳述する。図１〜図５は本発明をスロットマシンとして具現化した第１の実施形態を例示している。図１〜図３において、遊技機本体１は、本体ケース２と、この本体ケース２の前側に配置された前扉３とを備えている。本体ケース２は、左右一対の側板４，５と、それら側板４，５の上下両端部をそれぞれ左右に接続する天板６及び底板７と、背面側を略閉鎖する裏板８とで前側が開放した箱形に形成されており、その本体ケース２の前側を閉鎖するように、前扉３が左右一側、例えば左側のヒンジ金具９を介して開閉自在に支持されている。
【００１３】
本体ケース２内には、表示リールユニット１１、主基板ユニット１２、設定ユニット１３、メダル払い出しユニット１４、メダル補助ケース１５、電源ユニット１６等が配置されている。表示リールユニット１１は、遊技図柄を変動表示するためのもので、左右方向に複数個（例えば３個）の図柄表示リール１７ａ〜１７ｃを備えており、例えば本体ケース２内の中間棚１８上に着脱自在に装着されている。なお中間棚１８は、例えば本体ケース２内の所定高さ位置で左右の側板４，５間に架設されている。
【００１４】
主基板ユニット１２は、遊技の進行を統括的に制御する主制御基板１９、この主制御基板１９を収容する主基板ケース２０等により構成されており、例えば表示リールユニット１１の上側で裏板８の前面側に着脱自在に装着されている。設定ユニット１３は、リセットスイッチ等の各種設定スイッチが設けられた設定基板２１、中継基板２２、これらの基板２１，２２等を収容する設定基板ケース２３等により構成されており、例えば表示リールユニット１１の上側で、左右の側板４，５のうちの例えば左側板４の内面側に着脱自在に装着されている。
【００１５】
メダル払い出しユニット１４は、遊技に供すべく投入されたメダルを受け入れて貯留するメダルホッパー２４と、そのメダルホッパー２４内のメダルを規定数ずつ前側の払い出し口２５から払い出すメダル払い出し装置２６とを上下に備え、例えば底板７上の左右方向略中央に配置されている。メダル補助ケース１５は、メダルホッパー２４からオーバーフローしたメダルを貯留するためのもので、メダルホッパー２４に設けられた余剰メダル排出口２７の下側に対応して、例えば底板７上の右端部に右側板５の内面に沿って配置されている。
【００１６】
電源ユニット１６は、表示リールユニット１１、メダル払い出しユニット１４、主制御基板１９等の各部に電力を供給するためのもので、電源基板２８、この電源基板２８を収容する電源ケース２９、この電源ケース２９上に設けられた電源スイッチ３０等により構成されており、例えば底板７上の左端部に左側板４の内面に沿って配置されている。
【００１７】
前扉３は例えば合成樹脂製で、その上下方向略中央に主表示窓３１が形成され、その主表示窓３１の上側には、副表示窓３２が形成された上部パネル３３が着脱自在に装着されている。主表示窓３１は、図柄表示リール１７ａ〜１７ｃの前側に対応して例えば矩形状に形成され、ガラス板その他の透明板３４が嵌め込まれており、遊技者は図柄表示リール１７ａ〜１７ｃ上の遊技図柄をこの主表示窓３１を介して前側から視認可能となっている。副表示窓３２は、例えば上部パネル３３の裏側に装着された液晶式等の画像表示手段３５に対応して例えば矩形状に形成されており、遊技者は画像表示手段３５に表示される演出画像をこの副表示窓３２を介して前側から視認可能となっている。
【００１８】
主表示窓３１及び副表示窓３２の左右両側には、一対の電飾パネル３６が、前扉３の左右両縁部に沿ってその前側に着脱自在に装着されている。この電飾パネル３６は、例えばその前面側が内向きに傾斜するように、両表示窓３１，３２よりも前側に突出しており、その後側には、ＬＥＤ基板３７の他、例えば上部側に設けられた左右一対の音声出力部３８に対応して上部スピーカ３９が配置されている。
【００１９】
また、主表示窓３１の下部前側には、上操作パネル４１が横長状に設けられている。上操作パネル４１は、主表示窓３１の下縁に沿って例えば前斜め上向きに配置されており、メダルを投入可能なメダル投入口４２の他、メダル投入口４２へのメダルの投入に代えてクレジットからメダルをベットするための１ベットボタン４３及びマックスベットボタン４４、ベットをキャンセルするためのキャンセルボタン４５等が設けられている。
【００２０】
前扉３の最下部前側には、例えば灰皿４６とメダル受け皿４７とを左右に備えた横長状の受け皿ユニット４８が装着されている。受け皿ユニット４８の背壁４８ａ上には、メダル受け皿４７に対応してメダル排出口４９が設けられている。このメダル排出口４９は、メダル払い出し装置２６から払い出され、或いは投入後に返却されたメダルを前側のメダル受け皿４７に排出するためのものである。また、例えばメダル排出口４９の左右両側には、前扉３の裏側に配置された例えば左右一対の下部スピーカ５０に対応する音声出力部５１が形成されている。
【００２１】
前扉３の下部前側には、主表示窓３１、電飾パネル３６及び上操作パネル４１と受け皿ユニット４８との間にカバーパネル５２が着脱可能に装着されている。このカバーパネル５２は、例えば左右両端部が後向きに緩やかに回り込むように形成された前カバー部５２ａと、この前カバー部５２ａの下側に一体に形成された下カバー部５２ｂ（図４等）とを一体に備えている。前カバー部５２ａは、受け皿ユニット４８の前縁と同程度まで前側に張り出しており、その前面側には、前操作パネル部５３と装飾パネル部５４とが上下に隣接して配置されている。下カバー部５２ｂは、受け皿ユニット４８の上側に対応して後ろ下がりの傾斜状に形成されており、その下端部が、受け皿ユニット４８の背壁４８ａの上縁側と当接又は近接している。
【００２２】
前操作パネル部５３は、上操作パネル４１の前縁に沿ってその下側に例えば前向きに形成されており、図柄表示リール１７ａ〜１７ｃの回転を開始させるためのスタートレバー５５、回転中の図柄表示リール１７ａ〜１７ｃを夫々個別に停止させるためのストップボタン５６ａ〜５６ｃの他、メダル投入口４２内に詰まったメダルを返却させるための返却ボタン５７等が設けられている。なお、メダル投入口４２から投入されたメダルは、前扉３の裏側の選別手段５８により正否の判別を受けた後、正規のメダルのみがシュート５９を経てメダルホッパー２４に案内され、不正メダル等は返却通路６０を経てメダル排出口４９からメダル受け皿４７に返却されるようになっている。装飾パネル部５４には、当該スロットマシンの機種名やキャラクター等が描かれた装飾シートが、例えば透明カバー５４ａと共に装着されている。
【００２３】
また前扉３の裏側には、図２，図３に示すように、例えば電源ユニット１６の前側に対応する下部遮蔽板（金属板）６１と、主基板ユニット１２、設定ユニット１３等の前側に対応する上部遮蔽板（金属板）６２とが配置されている。下部遮蔽板６１及び上部遮蔽板６２は、共に金属板を折り曲げ加工することにより形成されている。
【００２４】
下部遮蔽板６１は、図４に示すように、例えば側面視で斜めに形成された縦平板部６３と、例えばこの縦平板部６３における傾斜方向両端部（ここでは上下両端部）に設けられた固定部６４，６５とを一体に備えており、前扉３の裏側に設けられた固定基部６６，６７に対して固定部６４，６５を例えばねじ止めすることにより着脱自在に固定されている。
【００２５】
縦平板部（特定部分）６３は、例えば上端側よりも下端側が後方に位置する後ろ下がりの傾斜状で、その前側に対応し且つ遊技機本体１の前面を構成する前面板、即ちカバーパネル５２の前カバー部５２ａ及び下カバー部５２ｂ、受け皿ユニット４８の背壁４８ａのそれぞれに対して斜めとなるように配置されている。なお、下部遮蔽板６１には、下部スピーカ５０との干渉を避けるための開口部６１ａ等が形成されている（図３）。
【００２６】
上部遮蔽板６２は、図５に示すように、例えば平面視で斜めに形成された横平板部６８と、例えばこの横平板部６８の傾斜方向両端部（ここでは左右両端部）に設けられた固定部６９，７０とを一体に備えており、前扉３の裏側に設けられた固定基部７１，７２に対して固定部６９，７０を例えばねじ止めすることにより着脱自在に固定されている。
【００２７】
横平板部（特定部分）６８は、例えば右端側よりも左端側が後方に位置する傾斜状で、その前側に対応し且つ遊技機本体１の前面を構成する前面板、即ち上部パネル３３等に対して斜めとなるように配置されている。なお、上部遮蔽板６２には、上部スピーカ３９との干渉を避けるための開口部６２ａ、ヒンジ金具９との干渉を避けるための切欠部６２ｂ等が形成されている（図３）。
【００２８】
以上のように構成された本実施形態のスロットマシンを対象として、例えば電源ユニット１６の不正な改変を目的とする穴開けゴトが行われる場合、例えば受け皿ユニット４８の背壁４８ａ等に対してドリル刃を略垂直に当てて穴開けが行われると考えられる。この場合、受け皿ユニット４８の背壁４８ａについてはドリル刃が容易に貫通できたとしても、その後ろ側に配置された下部遮蔽板６１の縦平板部６３は背壁４８ａ等に対して斜めに配置されているため、ドリルの刃先がうまく定まらず、従って穴開けの難易度が非常に高くなり、少なくとも従来のような短時間で穴開けを完了することは不可能となる。
【００２９】
主基板ユニット１２や設定ユニット１３の不正な改変を目的として上部パネル３３に穴開けを行う場合についても同様であり、上部パネル３３の後ろ側に配置された上部遮蔽板６２の横平板部６８は上部パネル３３に対して斜めに配置されているため、ドリルの刃先がうまく定まらず、短時間で穴開けを完了することは不可能である。ドリルによる穴開けに時間を要すれば、穴開けゴト行為の発見が容易となり、或いは穴開けゴトの完遂が困難となり、またそれによって穴開けゴト行為に対する抑止力が働くことで遊技ホールが被る損害の抑制が期待される。
【００３０】
なお、平板部６３，６８に対するドリル刃の傾きをより大きくし、穴開けの難易度をより高めるべく、遮蔽板６１，６２の平板部６３，６８は、それらの前側に配置される前面板（前カバー部５２ａ、上部パネル３３等）に対する傾斜角度がなるべく大きくなるように配置することが望ましい。但し、本十進形態のように一つの平板部でカバーする対象領域が広い場合、平板部の傾斜角度を大きくすると遮蔽板６１，６２の前後方向寸法が大きくなり、スペース効率が悪くなるという問題がある。
【００３１】
図６及び図７は本発明の第２の実施形態を例示し、第１の実施形態における下部遮蔽板６１及び上部遮蔽板６２を変更して、ジグザグ状に連なる複数の平板部を備えた形状とした例を示している。
【００３２】
本実施形態の下部遮蔽板６１は、図６に示すように、例えば上下方向に連なる複数（ここでは２つ）の第１，第２縦平板部６３ａ，６３ｂと、例えばこれら縦平板部６３ａ，６３ｂにおける傾斜方向両端部（ここでは上下両端部）に設けられた固定部６４，６５とを一体に備えており、前扉３の裏側に設けられた固定基部６６，６７に対して固定部６４，６５を例えばねじ止めすることにより着脱自在に固定されている。上側の第１縦平板部（第１平板部）６３ａは例えば後ろ下がりの傾斜状、下側の第２縦平板部（第２平板部）６３ｂはその逆で例えば前下がりの傾斜状で、両縦平板部（共に特定部分）６３ａ，６３ｂは側面視で傾斜方向が異なっている。そして、第１，第２縦平板部６３ａ，６３ｂは、それらの前側に対応し且つ遊技機本体１の前面を構成する前面板、即ちカバーパネル５２の前カバー部５２ａ及び下カバー部５２ｂ、受け皿ユニット４８の背壁４８ａのそれぞれに対して斜めとなるように配置されている。
【００３３】
また本実施形態の上部遮蔽板６２は、図７に示すように、左右方向に交互に連なる複数（ここでは計１１）の第１，第２横平板部６８ａ，６８ｂと、例えばこれら横平板部６８ａ，６８ｂにおける傾斜方向両端部（ここでは左右両端部）に設けられた固定部６９，７０とを一体に備えており、前扉３の裏側に設けられた固定基部７１，７２に対して固定部６９，７０を例えばねじ止めすることにより着脱自在に固定されている。第１横平板部６８ａは何れも例えば右端側よりも左端側が後方に位置する傾斜状、第２横平板部６８ｂはその逆で何れも例えば左端側よりも右端側が後方に位置する傾斜状で、両横平板部（共に特定部分）６８ａ，６８ｂは平面視で傾斜方向が異なっている。そして、第１，第２横平板部６８ａ，６８ｂは、それらの前側に対応し且つ遊技機本体１の前面を構成する前面板、即ち上部パネル３３等に対して斜めとなるように配置されている。
【００３４】
以上のように、遮蔽板６１，６２を、ジグザグ状に連なる複数の平板部を備えた形状とすることにより、広い領域をカバーする場合でも、遮蔽板６１，６２の前後方向寸法を小さく抑えつつ、前側の前面板に対する平板部の角度を大きくとることができ、ドリルによる穴開けの難易度をより高めることができる。
【００３５】
図８及び図９は本発明の第３の実施形態を例示し、第２の実施形態と同様、下部遮蔽板６１及び上部遮蔽板６２をジグザグ状に連なる複数の平板部を備えた形状としつつ、交互に連なる第１平板部と第２平板部とのうち、少なくとも第２平板部の傾斜角度を第２の実施形態とは異ならせた例を示している。
【００３６】
本実施形態の下部遮蔽板６１は、図８に示すように、例えば上下方向に交互に連なる複数（ここでは計８つ）の第１，第２縦平板部６３ａ，６３ｂと、例えばこれら縦平板部６３ａ，６３ｂにおける傾斜方向両端部（ここでは上下両端部）に設けられた固定部６４，６５とを一体に備えており、前扉３の裏側に設けられた固定基部６６，６７に対して固定部６４，６５を例えばねじ止めすることにより着脱自在に固定されている。
【００３７】
第１縦平板部（第１平板部、特定部分）６３ａは何れも例えば後ろ下がりの傾斜状に形成され、それらの前側に対応し且つ遊技機本体１の前面を構成する前面板、即ちカバーパネル５２の前カバー部５２ａ及び下カバー部５２ｂ、受け皿ユニット４８の背壁４８ａのそれぞれに対して斜めとなるように配置されている。一方、第２縦平板部（第２平板部）６３ｂは何れも略水平に形成され、それらの前側に対応し且つ遊技機本体１の前面を構成する前面板のうち、受け皿ユニット４８の背壁４８ａ等に対する角度が略９０度となるように配置されている。
【００３８】
第２の実施形態の遮蔽板６１（図６）の場合、ドリル刃が第１縦平板部６３ａと第２縦平板部６３ｂとの連結部に当たった場合には比較的容易に穴が開いてしまうと考えられるが、本実施形態の下部遮蔽板６１の場合にはドリル刃を略確実に第１縦平板部６３ａに当接させることができるため、第２の実施形態に比べてドリルによる穴開けの難易度をより高めることができる。
【００３９】
また本実施形態の上部遮蔽板６２は、図９に示すように、左右方向に交互に連なる複数（ここでは計１７）の第１，第２横平板部６８ａ，６８ｂと、例えばこれら横平板部６８ａ，６８ｂにおける傾斜方向両端部（ここでは左右両端部）に設けられた固定部６９，７０とを一体に備えており、前扉３の裏側に設けられた固定基部７１，７２に対して固定部６９，７０を例えばねじ止めすることにより着脱自在に固定されている。第１横平板部（第１平板部、特定部分）６８ａは何れも例えば右端側よりも左端側が後方に位置する傾斜状に形成され、それらの前側に対応し且つ遊技機本体１の前面を構成する前面板、即ち上部パネル３３等に対して斜めとなるように配置されている。一方、第２横平板部（第２平板部）６８ｂも第１横平板部６８ａと同じく例えば右端側よりも左端側が後方に位置する傾斜状に形成されているが、遊技機本体１の前面を構成する前面板、即ち上部パネル３３等に対する角度は９０度に近く、第１横平板部６８ａよりも大きくなっている。
【００４０】
この上部遮蔽板６２によれば、ドリル刃をより確実に第１横平板部６８ａに当接させることができるため、ドリルによる穴開けの難易度を更に高めることができる。
【００４１】
図１０は本発明の第４の実施形態を例示し、上部遮蔽板６２を波板状に形成した例を示している。本実施形態の上部遮蔽板６２は、図１０に示すように、前後に蛇行する左右方向の波板状に形成された波板部７３と、この波板部７３の左右両端部に設けられた固定部６９，７０とを一体に備えており、前扉３の裏側に設けられた固定基部７１，７２に対して固定部６９，７０を例えばねじ止めすることにより着脱自在に固定されている。
【００４２】
波板部７３は、その前側に対応し且つ遊技機本体１の前面を構成する前面板、即ち上部パネル３３等に対する傾斜角度はその左右方向位置によって異なるが、略全ての部分（特定部分）で上部パネル３３等に対して斜めとなっているため、ドリルによる穴開けの難易度を高めることができる。
【００４３】
図１１は本発明の第５の実施形態を例示し、第１の実施形態を変更して、下部遮蔽板６１の一端側（ここでは下端側）が外力によって後向きに移動可能で且つその移動によって前面板に対する平板部（特定部分）６３の傾斜角度が大となるように構成した例を示している。
【００４４】
本実施形態の下部遮蔽板６１は、図１１に示すように、例えば側面視で後ろ下がりの傾斜状形成された縦平板部６３と、例えばこの縦平板部６３における一端側（ここでは上端側）に設けられた固定部６４と、縦平板部６３における他端側（ここでは下端側）に設けられた被案内部７４とを一体に備えており、前扉３の裏側に設けられた固定基部６６に対して固定部６４を例えばねじ止めすることにより着脱自在に固定されている。
【００４５】
被案内部７４には、例えば一又は複数の切欠部（又は開口部）７４ａが形成されており、この切欠部７４ａが、例えば前扉３の裏側に配置された案内部７５に前後方向移動可能に遊嵌している。案内部７５は、例えば前後方向の軸状に形成されると共に、その前後両端側に切欠部７４ａが当接可能な拡幅部７５ａ，７５ｂが形成されており、下部遮蔽板６１の下端側の移動範囲をそれら拡幅部７５ａ，７５ｂ間に制限している。
【００４６】
本実施形態によれば、例えば受け皿ユニット４８の背壁４８ａを貫通したドリル刃が下部遮蔽板６１の縦平板部６３に当接したとき、そのドリル刃に押されて縦平板部６３の下端側が後向きに移動し、これによってドリル刃の縦平板部６３に対する角度がより大きくなるため、ドリルの刃先がうまく定まらず、従って穴開けの難易度が第１の実施形態に比べて更に高くなる。
【００４７】
以上、本発明の実施形態について詳述したが、本発明はこの実施形態に限定されるものではなく、本発明の趣旨を逸脱しない範囲で種々の変更が可能である。例えば、実施形態では、電源ユニット１６の前側に対応して下部遮蔽板６１を、主基板ユニット１２及び設定ユニット１３の前側に対応して上部遮蔽板６２を配置した例を示したが、例えば本体ケース２側の略全体に対応するように、一又は複数の遮蔽板を配置するようにしてもよい。
【００４８】
平板部をジグザグ状に連ねた形状を採用する場合、第２，第３の実施形態では、それぞれ特定の傾斜角度に形成された第１平板部と第２平板部とを交互に配置したが、全ての平板部の傾斜角度を異ならせる等、各平板部の傾斜角度はランダムであってもよい。
【００４９】
遮蔽板は金属製であることが望ましいが、ＦＲＰ、アクリル等により形成してもよい。
【００５０】
また本発明は、スロットマシンに限らず、パチンコ機、アレンジボール機等の弾球遊技機を含む各種遊技機において同様に実施することが可能である。
【符号の説明】
【００５１】
３３    上部パネル（前面板）
４８ａ  背壁（前面板）
５２ａ  前カバー部（前面板）
５２ｂ  下カバー部（前面板）
６３    縦平板部（金属板）
６３ａ  第１縦平板部（金属板）
６３ｂ  第２縦平板部（金属板）
６８    横平板部（金属板）
６８ａ  第１横平板部（金属板）
６８ｂ  第２横平板部（金属板）
【図１】
2014176419.tif 000003
【図２】
2014176419.tif 000004
【図３】
2014176419.tif 000005
【図４】
2014176419.tif 000006
【図５】
2014176419.tif 000007
【図６】
2014176419.tif 000008
【図７】
2014176419.tif 000009
【図８】
2014176419.tif 000010
【図９】
2014176419.tif 000011
【図１０】
2014176419.tif 000012
【図１１】
2014176419.tif 000013